(57)【要約】【課題】  本発明は、可撓性容器を枠体に簡易な方法で固定出来、可撓性容器の開口部を封止する封止部を封止部材の移動により確実に開封出来る現像剤収容ユニットを提供する。【解決手段】  現像剤袋16の被固定穴16ｄは、該被固定穴16ｄの縁部の弾性変形により抜止部18ｅ側から該抜止部18ｅを乗り越えて固定軸部18ａに挿通して係止され、封止部材19の開封時に所定方向に引っ張られ、該固定軸部18ａの軸線18ｄと垂直な平面上に投影した際に、封止部材19が開封されるときに被固定穴16ｄの縁部を係止する抜止部18ｅの係止稜線18ｆにおいて、該係止稜線18ｆの被固定穴16ｄの縁部よりも外側の外端部18ｉが、被固定穴16ｄの縁部が係止される係止部18ｈよりも所定方向下流側に配置される。【選択図】      図６
2014052570.tif 000002
【特許請求の範囲】
【請求項１】
現像剤を収容する現像剤収容ユニットであって、
現像剤を収容し、前記現像剤を排出するための開口部を備えた可撓性容器と、前記開口部を封止する封止部とを有し、前記可撓性容器に取り付けられ、移動されることによって前記開口部を露出することが可能な封止部材とを有する現像剤収容容器と、前記封止部材を移動させるための開封部材と、前記現像剤収容容器と、前記開封部材とを収容するための枠体を有し、
前記可撓性容器は、前記枠体に固定されるための被固定穴を有し、
前記枠体は、前記被固定穴に挿通して固定する固定軸部と、前記固定軸部から前記被固定穴が外れるのを防止する抜止部とを有する現像剤収容ユニットにおいて、
前記被固定穴は、該被固定穴の縁部の弾性変形により前記抜止部側から該抜止部を乗り越えて前記固定軸部に挿通して係止され、前記封止部材の開封時に所定方向に引っ張られ、
前記固定軸部の軸線と垂直な平面上に投影した際に、前記封止部材が開封されるときに前記被固定穴の縁部を係止する前記抜止部の係止稜線において、該係止稜線の前記被固定穴の縁部よりも外側の外端部が、前記被固定穴の縁部が係止される係止部よりも前記所定方向下流側に配置されるか、もしくは前記所定方向において一致した位置に配置されたことを特徴とする現像剤収容ユニット。
【請求項２】
現像剤を収容する現像剤収容ユニットであって、
現像剤を収容し、前記現像剤を排出するための開口部を備えた可撓性容器と、前記開口部を封止した状態で前記可撓性容器に取り付けられ、移動されることによって前記開口部を露出することが可能な封止部材とを有する現像剤収容容器と、前記封止部材を移動させるための開封部材と、前記現像剤収容容器と、前記開封部材とを収容するための枠体を有し、
前記可撓性容器は、前記枠体に固定されるための被固定穴を有し、
前記枠体は、前記被固定穴に挿通して固定する固定軸部と、前記固定軸部から前記被固定穴が外れるのを防止する抜止部とを有する現像剤収容ユニットにおいて、
前記被固定穴は、該被固定穴の縁部の弾性変形により前記抜止部側から該抜止部を乗り越えて前記固定軸部に挿通して係止され、
前記封止部材が開封されるときに前記被固定穴の縁部を係止する前記抜止部の係止稜線において、該係止稜線の前記被固定穴の縁部よりも外側の外端部が、前記被固定穴の縁部が係止される係止部よりも前記固定軸部の軸線方向において前記被固定穴側に突出すること特徴とする現像剤収容ユニット。
【請求項３】
前記係止稜線の前記被固定穴の縁部よりも外側の外端部が、前記被固定穴の縁部が係止される係止部よりも前記固定軸部の軸線方向において前記被固定穴側に突出すること特徴とする請求項１に記載の現像剤収容ユニット。
【請求項４】
前記抜止部は、前記固定軸部の軸線と垂直な平面上に投影した際に、前記封止部材が開封されるときに前記被固定穴の縁部を係止する前記抜止部の係止稜線において、該係止稜線の前記被固定穴の縁部よりも外側の外端部と、前記被固定穴の縁部が係止される係止部とが前記封止部の前記所定方向において一致した位置に配置され、
前記固定軸部の外周面と前記抜止部の係止稜線とが接するか、或いは、前記固定軸部の外周面が前記抜止部の係止稜線から突出したことを特徴とする請求項１または請求項３に記載の現像剤収容ユニット。
【請求項５】
前記固定軸部の外周面は、前記所定方向において前記抜止部に対して上流側に突出していることを特徴とする請求項１、３、４のいずれか１項に記載の現像剤収容ユニット。
【発明の詳細な説明】
【技術分野】
【０００１】
本発明は、画像形成装置に使用される現像剤収容ユニットに関するものである。
【背景技術】
【０００２】
電子写真画像形成プロセスを用いてシートに画像を形成する画像形成装置として、例えば、電子写真複写機、電子写真プリンター（例えば、ＬＥＤ（Light Emitting Diode；発光ダイオード）プリンター、レーザビームプリンタ等）がある。更に、電子写真ファクシミリ装置等が使用されている。
【０００３】
画像形成装置には現像剤を収容したカートリッジが着脱可能に設けられる。ここで、カートリッジとは、少なくとも現像手段と現像剤を収容した現像装置を一体的に構成して画像形成装置本体に着脱可能にしたものや、現像装置と少なくとも感光体を有する感光体ユニットを一体的に構成して画像形成装置本体に着脱可能にしたものをいう。
【０００４】
また、現像剤収容ユニットは、画像形成装置またはカートリッジに収容されるものである。現像剤収容ユニットは、少なくとも現像剤を収容するための可撓性容器を備えている。
【０００５】
従来の電子写真形成プロセスを用いた電子写真画像形成装置には、電子写真感光体及びそれに作用するプロセス手段を一体的にカートリッジ化して、このカートリッジを電子写真画像形成装置本体に着脱可能とするプロセスカートリッジ方式が採用されている。
【０００６】
このようなプロセスカートリッジでは、特許文献１に示されたように、現像剤（トナー、キャリア等）を収容する現像剤収容枠体に設けた開口部を封止部材で封止している。そして、使用時に封止部材であるトナーシール部材の接合部を引き剥がすことで開口部が開封され現像剤の供給が可能となる方式が広く採用されている。
【０００７】
また、プロセスカートリッジ製造時に現像剤の充填工程でプロセスカートリッジ内に現像剤が飛散する問題に対して可撓性容器を内部容器として用いたものが提案されている。
【先行技術文献】
【特許文献】
【０００８】
【特許文献１】特開平４−６６９８０号公報（第１図、第１３図）
【発明の概要】
【発明が解決しようとする課題】
【０００９】
しかしながら、特許文献１のような可撓性容器の枠体への固定方法としては、枠体のボスをつぶす超音波カシメ以外の固定手段として、穴と凸部（ボス等）による引っ掛け等が用いられているものの安定した開封が困難であった。
【００１０】
本発明は前記課題を解決するものであり、その目的とするところは、可撓性容器を枠体に簡易な方法で固定出来、可撓性容器の開口部を封止する封止部を封止部材の移動により確実に開封出来る現像剤収容ユニットを提供するものである。
【課題を解決するための手段】
【００１１】
前記目的を達成するための本発明に係る現像剤収容ユニットの代表的な構成は、現像剤を収容する現像剤収容ユニットであって、現像剤を収容し、前記現像剤を排出するための開口部を備えた可撓性容器と、前記開口部を封止する封止部とを有し、前記可撓性容器に取り付けられ、移動されることによって前記開口部を露出することが可能な封止部材とを有する現像剤収容容器と、前記封止部材を移動させるための開封部材と、前記現像剤収容容器と、前記開封部材とを収容するための枠体を有し、前記可撓性容器は、前記枠体に固定されるための被固定穴を有し、前記枠体は、前記被固定穴に挿通して固定する固定軸部と、前記固定軸部から前記被固定穴が外れるのを防止する抜止部とを有する現像剤収容ユニットにおいて、前記被固定穴は、該被固定穴の縁部の弾性変形により前記抜止部側から該抜止部を乗り越えて前記固定軸部に挿通して係止され、前記封止部材の開封時に所定方向に引っ張られ、前記固定軸部の軸線と垂直な平面上に投影した際に、前記封止部材が開封されるときに前記被固定穴の縁部を係止する前記抜止部の係止稜線において、該係止稜線の前記被固定穴の縁部よりも外側の外端部が、前記被固定穴の縁部が係止される係止部よりも前記所定方向下流側に配置されるか、もしくは前記所定方向において一致した位置に配置されたことを特徴とする。
【発明の効果】
【００１２】
上記構成によれば、現像剤を収容するための可撓性容器を用いた現像剤収容ユニットにおいて、可撓性容器を枠体に簡易な方法で固定出来、可撓性容器の開口部を封止する封止部を封止部材の移動により確実に開封出来る。
【図面の簡単な説明】
【００１３】
【図１】本発明に係る現像剤収容ユニットを備えた画像形成装置の構成を示す断面説明図である。
【図２】本発明に係る現像剤収容ユニットを備えたプロセスカートリッジの構成を示す断面説明図である。
【図３】本発明に係る現像剤収容ユニットにおいて開封部材により可撓性容器の開口部を開封する様子を示す斜視説明図である。
【図４】（ａ）は本発明に係る現像剤収容ユニットの第１実施形態において開封前の状態を示す断面説明図、（ｂ）は（ａ）の部分拡大図である。
【図５】第１実施形態における現像剤収容容器の開封前の状態を示す斜視説明図である。
【図６】第１実施形態の抜止部を固定軸部の軸線と垂直な平面上に投影して見た説明図である。
【図７】（ａ）〜（ｃ）は第１実施形態の被固定穴を該被固定穴の縁部の弾性変形により抜止部側から該抜止部を乗り越えて固定軸部に挿通して係止する様子を説明する斜視説明図である。
【図８】（ａ），（ｃ），（ｅ）は第１実施形態において開封部材により可撓性容器の開口部を開封する過程を説明する断面説明図、（ｂ）は（ａ）の部分拡大図、（ｄ）は（ｃ）の部分拡大図、（ｆ）は（ｅ）の部分拡大図である。
【図９】（ａ）は第１実施形態における抜止部と第一接合部との移動径路上の離間距離を示す断面説明図、（ｂ）は可撓性を有する現像剤袋の形状が変形した場合の抜止部と第一接合部との移動径路上の離間距離を示す断面説明図である。
【図１０】第１実施形態の抜止部を固定軸部の軸線と垂直な平面上に投影して見た図である。その際に、係止稜線の被固定穴の縁部よりも外側の外端部が、該被固定穴の縁部が係止される係止部よりも第一接合部までの離間距離が近い様子を示す説明図である。
【図１１】（ａ）は本発明に係る現像剤収容ユニットの第２実施形態の抜止部を固定軸部の軸線と垂直な平面上に投影して見た図である。その際に、係止稜線の被固定穴の縁部よりも外側の外端部が、該被固定穴の縁部が係止される係止部よりも第一接合部までの離間距離が近い様子を示す説明図である。（ｂ）は本発明に係る現像剤収容ユニットの第３実施形態の抜止部を固定軸部の軸線と垂直な平面上に投影して見た図である。その際に、係止稜線の被固定穴の縁部よりも外側の外端部が、該被固定穴の縁部が係止される係止部よりも第一接合部までの離間距離が近い様子を示す説明図である。
【図１２】（ａ）は本発明に係る現像剤収容ユニットの第４実施形態の抜止部を固定軸部の軸線と垂直な平面上に投影して見た図である。その際に、係止稜線の被固定穴の縁部よりも外側の外端部が、該被固定穴の縁部が係止される係止部よりも第一接合部までの離間距離が近い様子を示す説明図である。（ｂ），（ｃ）は（ａ）の部分拡大図である。
【図１３】（ａ）は本発明に係る現像剤収容ユニットの第５実施形態の抜止部を固定軸部の軸線と垂直な平面上に投影して見た図である。その際に、係止稜線の被固定穴の縁部よりも外側の外端部が、該被固定穴の縁部が係止される係止部よりも第一接合部までの離間距離が近い様子を示す説明図である。（ｂ），（ｃ）は（ａ）の部分拡大図である。（ｄ）は本発明に係る現像剤収容ユニットの第６実施形態の抜止部を固定軸部の軸線と垂直な平面上に投影して見た図である。その際に、係止稜線の被固定穴の縁部よりも外側の外端部が、該被固定穴の縁部が係止される係止部よりも第一接合部までの離間距離が近い様子を示す説明図である。（ｅ）は（ｄ）の部分拡大図である。
【図１４】本発明に係る現像剤収容ユニットの第７実施形態において、抜止部の係止稜線の被固定穴の縁部よりも外側の外端部が、該被固定穴の縁部が係止される係止部よりも固定軸部の軸線方向において該被固定穴側に突出する様子を示す斜視説明図である。
【図１５】第７実施形態の抜止部を固定軸部の軸線と垂直な平面上に投影して見た様子を示す説明図である。
【図１６】第７実施形態の抜止部の係止稜線の被固定穴の縁部よりも外側の外端部が、該被固定穴の縁部が係止される係止部よりも固定軸部の軸線方向において該被固定穴側に突出する様子を示す断面説明図である。
【図１７】本発明に係る現像剤収容ユニットの第８実施形態の抜止部を固定軸部の軸線と垂直な平面上に投影して見た図である。その際に、係止稜線の被固定穴の縁部よりも外側の外端部が、該被固定穴の縁部が係止される係止部よりも第一接合部までの離間距離が近い様子を示す説明図である。
【図１８】本発明に係る現像剤収容ユニットの第９実施形態において、抜止部の係止稜線の被固定穴の縁部よりも外側の外端部が、該被固定穴の縁部が係止される係止部よりも固定軸部の軸線方向において該被固定穴側に突出する様子を示す斜視説明図である。
【図１９】第９実施形態の抜止部を固定軸部の軸線と垂直な平面上に投影して見た図である。その際に、係止稜線の被固定穴の縁部よりも外側の外端部と、該被固定穴の縁部が係止される係止部との第一接合部までの離間距離が等しく、固定軸部の外周面と抜止部の係止稜線とが接する様子を示す説明図である。
【図２０】第９実施形態において、抜止部の係止稜線の被固定穴の縁部よりも外側の外端部が、該被固定穴の縁部が係止される係止部よりも固定軸部の軸線方向において該被固定穴側に突出する様子を示す断面説明図である。
【図２１】本発明に係る現像剤収容ユニットの第１０実施形態の抜止部を固定軸部の軸線と垂直な平面上に投影して見た図である。その際に、係止稜線の被固定穴の縁部よりも外側の外端部と、該被固定穴の縁部が係止される係止部との第一接合部までの離間距離が等しく、固定軸部の外周面が前記抜止部の係止稜線から突出した様子を示す説明図である。
【図２２】本発明に係る現像剤収容ユニットの第１１実施形態の構成を示す斜視説明図である。
【図２３】比較例の抜止部を固定軸部の軸線と垂直な平面上に投影して見た様子を示す説明図である。
【図２４】（ａ）〜（ｄ）は比較例の抜止部を用いたときに開封が困難であることを説明する開封過程を示す断面説明図である。
【図２５】（ａ）〜（ｃ）は比較例の抜止部を用いたときに開封が困難であることを説明する開封過程を示す斜視説明図である。
【図２６】比較例の抜止部を用いたときに被固定穴が抜止部から外れて開封され、開封後の可撓性容器が変形して現像剤供給ローラに現像剤を安定して供給出来ない様子を示す断面説明図である。
【発明を実施するための形態】
【００１４】
図により本発明に係る現像剤収容ユニットの一実施形態を具体的に説明する。
【実施例１】
【００１５】
先ず、図１〜図10を用いて本発明に係る現像剤収容ユニットの第１実施形態の構成について説明する。
【００１６】
図３に示すように、現像剤収容容器30は、少なくとも現像剤（トナー、キャリア等を含む）を収容し、該現像剤を排出するための開口部35ａを備えた可撓性容器となる現像剤袋16を有する。更に、該現像剤袋16に設けられた現像剤を排出するための開口部35ａを封止する封止部19ａを有する。更に、該現像剤袋16に取り付けられ、移動されることによって開口部35ａを露出することが可能な封止部材19を備える。
【００１７】
図１は本発明に係る現像剤収容ユニット25が適用出来る画像形成装置Ｂの構成を示す断面説明図である。図２は本発明に係る現像剤収容ユニット25を有するプロセスカートリッジＡの構成を示す断面説明図である。
【００１８】
＜プロセスカートリッジ＞
図１及び図２に示すように、プロセスカートリッジＡは、表面に画像情報に応じた静電潜像が形成される像担持体となる感光ドラム11と、該感光ドラム11に作用する画像形成プロセス手段を備えたものである。ここで、画像形成プロセス手段としては、例えば、感光ドラム11の表面を帯電させる帯電手段となる帯電ローラ12を有する。
【００１９】
更に、該帯電ローラ12により一様に帯電された感光ドラム11の表面に露光手段となる露光装置８により画像情報に応じた露光を行って形成された静電潜像にトナーを供給して該感光ドラム11の表面にトナー像を形成する現像手段となる現像装置38を有する。更に、感光ドラム11の表面に残留した現像剤を除去するためのクリーニング手段となるクリーニングブレード14を設けたクリーナユニット24を有する。
【００２０】
本実施形態のプロセスカートリッジＡは、図２に示すように、感光ドラム11の周囲に帯電ローラ12、弾性を有するクリーニングブレード14を有するクリーナユニット24を備えている。また、プロセスカートリッジＡは、第一枠体17と第二枠体18とを有する現像装置38を備えている。第一枠体17と第二枠体18とにより封止部材19を移動させるための開封部材20と、現像剤収容容器30とを収容する。
【００２１】
プロセスカートリッジＡは、クリーナユニット24と現像装置38とを一体化し、図１に示すように、画像形成装置Ｂ本体に対して着脱自在に構成されている。現像装置38は、感光ドラム11の表面に現像剤を供給する現像剤担持体となる現像ローラ13を有する。更に、該現像ローラ13の表面の現像剤の層厚を規制する現像ブレード15と、該現像ローラ13に現像剤を供給する現像剤供給ローラ23と、現像剤を収容する現像剤収容容器30とを備えている。現像ローラ13と、現像ブレード15とは第一枠体17に支持されている。
【００２２】
＜画像形成装置＞
図２に示すプロセスカートリッジＡは、図１に示す画像形成装置Ｂ本体に装着されて画像形成に用いられる。画像形成動作は、図１に示す画像形成装置Ｂの下部に装着されたシートカセット６から搬送ローラ７によってシートＳを搬送する。このシートＳの搬送動作と同期して、帯電ローラ12により一様に帯電された感光ドラム11の表面に露光装置８から選択的な露光を行って静電潜像を形成する。
【００２３】
現像剤収容容器30内に収容された現像剤は、スポンジ状の現像剤供給ローラ23によって現像ローラ13に供給され、現像ブレード15により現像剤が現像ローラ13の表面に薄層担持される。
【００２４】
現像ローラ13に現像バイアス電圧を印加することによって、感光ドラム11の表面に形成された静電潜像に応じてトナーを供給して、該感光ドラム11の表面にトナー像として現像する。一方、搬送ローラ７により搬送されたシートＳはレジストローラ２により感光ドラム11の回転に同期して該感光ドラム11と転写ローラ９との間に形成される転写ニップ部に搬送される。
【００２５】
そして、転写ローラ９へ転写バイアス電圧を印加することによって感光ドラム11の表面に形成されたトナー像を転写ニップ部に搬送されるシートＳに転写する。トナー像が転写されたシートＳは定着装置10へ搬送され、該定着装置10において加熱及び加圧されてトナー像がシートＳに定着される。トナー像が定着されたシートＳは排出ローラ１によって画像形成装置Ｂ上部の排出部３に排出される。
【００２６】
＜現像剤収容ユニット＞
次に図３〜図５を用いて現像剤収容ユニット25の構成について説明する。図３は現像剤収容容器30の現像剤袋16の一部を断面で表わした斜視説明図である。図４（ａ）は現像装置38の断面説明図である。図４（ｂ）は図４（ａ）の部分拡大図である。図４に示す断面図は開封部材20の回転軸20ｄに垂直な平面で切った断面図である。図５は現像剤袋16の開封前の状態を示す斜視説明図である。
【００２７】
図４に示すように、現像剤を収容する現像剤収容ユニット25は、現像剤収容容器30、現像ローラ13、現像ブレード15及び現像剤供給ローラ23と、これらを支持する第一枠体17と第二枠体18とを有して構成される。第一枠体17と第二枠体18とを合わせたものが現像剤収容容器30を収容する枠体である。
【００２８】
本実施形態において、現像剤収容ユニット25は、現像装置38と一致する。これは、本実施形態の現像剤収容ユニット25が、現像ローラ13、現像ブレード15及び現像剤供給ローラ23を有して構成されるからである。しかしながら、現像剤収容ユニット25の第一枠体17と第二枠体18とは別枠体を用いて現像ローラ13、現像ブレード15及び現像剤供給ローラ23を支持して現像剤収容ユニット25とは分離した構成でも良い。この場合、現像装置38は、現像剤収容ユニット25と、現像ローラ13、現像ブレード15及び現像剤供給ローラ23とを備えて構成される。
【００２９】
＜開封部材と現像剤収容容器＞
図３及び図４を用いて開封部材20及び現像剤収容容器30の構成について説明する。
【００３０】
開封部材20は、開口部35ａを封止した状態で現像剤袋16に取り付けられ、移動されることによって該開口部35ａを露出することが可能な封止部材19の被係合部19ｂと係合する係合部20ｂを有する。そして、該封止部材19の被係合部19ｂと、開封部材20の係合部20ｂとを係合することにより、開封部材20と、現像剤収容容器30に設けられた現像剤袋16とが連結されている。
【００３１】
＜現像剤袋の構成＞
図３及び図４に示すように、現像剤袋16は形状が変形可能な弾性体の袋状で構成され、内部に現像剤を収容している。現像剤袋16には収容した現像剤を排出する排出部35が設けられ、該排出部35には現像剤が排出される複数の開口部35ａが設けられている。
【００３２】
図５に示すように、現像剤袋16の排出部35の周囲を封止部材19により接合部22で連続して取り囲んで開封可能に接合している。これにより、現像剤袋16内に収容する現像剤を封止している。
【００３３】
図３に示すように、現像剤袋16は、排出部35を有するシート16ｕと、排出部35を有さないシート16ｓとを貼り合わせて構成されている。また、現像剤袋16は、第二枠体18に設けられた固定軸部18ａに挿通して固定される楕円形状の被固定穴16ｄを有している。
【００３４】
＜現像剤袋の接合部＞
図５に示すように、現像剤袋16の排出部35の周囲を開封可能に接合する接合部22は、該接合部22の長手方向となる図５の矢印Ｆ方向に配置された第一接合部22ａ及び第二接合部22ｂを有する。更に、該接合部22の短手方向となる図５の矢印Ｅ方向に配置された第三接合部22ｃ及び第四接合部22ｄとにより開口部35ａの周囲を囲んだ「ロ」の字形状で排出部35を封止している。
【００３５】
封止部材19が図３の矢印Ｃ方向に回転駆動される開封部材20に巻回されて図３及び図５の矢印Ｄ方向に引っ張られる。すると、図５の矢印Ｆ方向（図５の左右方向）に溶着された第一接合部22ａ及び第二接合部22ｂは、第一接合部22ａが先に開封される。その後に第二接合部22ｂが開封される。
【００３６】
本実施形態では、図３に示す封止部材19の表面に沿って見た場合に、開封部材20に係止された被係合部19ｂ（或いは、折り返し部19ｄ）に近い側が第一接合部22ａである。また、第二接合部22ｂは、図５に示すように、開口部35ａを挟んで第一接合部22ａに対向する。
【００３７】
本実施形態において、封止部材19の開封方向は、図３及び図５に示す矢印Ｅ方向である。本実施形態において封止部材19の開封方向を次のように定義する。即ち、封止部材19を移動させて開封を行う場合に、開口部35ａを挟んだ第一接合部22ａと第二接合部22ｂとでは、第一接合部22ａが先に剥離されて開封される。このように、先に開封される第一接合部22ａから第二接合部22ｂに向かう方向を図５に示す矢印Ｅ方向で示す開封方向とする。
【００３８】
＜現像剤袋の開口部＞
次に、図５を用いて封止部材19の排出部35に設けられる開口部35ａの配置について説明する。封止部材19は開口部35ａを封止する。更に、回転駆動される開封部材20に巻回されて封止部材19が引っ張られて図５の矢印Ｄ方向に移動することによって開口部35ａを露出する。
【００３９】
封止部材19が図５の矢印Ｄ方向に移動することにより、開口部35ａは図５の矢印Ｅ方向で示す開封方向に露出が進む。封止部材19の図５の矢印Ｅ方向で示す開封方向に対して垂直な図５の矢印Ｆ方向に所定ピッチで貫通穴からなる複数の開口部35ａが形成されている。隣接される開口部35ａの間は連結部35ｂにより現像剤袋16に所定の引っ張り強度が確保されている。
【００４０】
封止部材19は開封部材20を回転させて巻き取る構成であり、複数の開口部35ａが直線状に配置される図３の矢印Ｆ方向は開封部材20の回転軸20ｄの軸線方向に平行に配置されている。また、図４に示す現像ローラ13の回転軸方向も図３の矢印Ｆ方向に平行に配置されている。現像ローラ13の回転軸方向と複数の開口部35ａが直線状に配置される図３の矢印Ｆ方向とを平行に配置することにより、現像剤袋16内の現像剤が開口部35ａから排出される際に該現像ローラ13の回転軸方向（長手方向）全体に現像剤が偏りなく供給される。
【００４１】
＜封止部材＞
図３及び図４に示すように、封止部材19は、プロセスカートリッジＡの使用前に現像剤袋16の排出部35を覆って該現像剤袋16内の現像剤を封止している封止部19ａと、開封部材20に係合される被係合部19ｂとを有してシート状で形成されている。
【００４２】
被係合部19ｂには、回転することにより封止部材19を移動させて開口部35ａを露出させるための開封部材20が係合される。本実施形態の開封部材20は第二枠体18に回転自在に設けられた回転軸20ｄにより構成される。
【００４３】
また、封止部材19は封止部19ａと被係合部19ｂとの間の部分で折り返されている折り返し部19ｄを有している。折り返し部19ｄは折り目が付いていても、折り目が付いていなくても良い。図４（ｂ）に示す封止部材19の折り返し部19ｄの折り返し角度Ｑは、９０度以下が好ましい。封止部材19の材質は、容易に開封出来るシーラント層を有するラミネート材で構成され、その基材はポリエチレンテレフタレート（ＰＥＴ）、ポリエチレン、ポリプロピレン等で、基材の厚さは０．０３ｍｍ〜０．１５ｍｍのものから適宜選定すれば良い。
【００４４】
＜開封部材＞
開封部材20は封止部材19に力を与えて該封止部材19を移動させ、封止部19ａを現像剤袋16の開口部35ａから引き剥がして該開口部35ａを開封する。開封部材20は軸形状で両端を第二枠体18に回転可能に支持されている図示しない支持部と、封止部材19の被係合部19ｂを固定する係合部20ｂを有している。
【００４５】
図４（ｂ）に示すように、開封部材20は、第二枠体18の内面に立設された固定軸部18ａの軸線18ｄの方向において、該固定軸部18ａよりも該固定軸部18ａの先端部に設けられる。そして、該固定軸部18ａから現像剤袋16の被固定穴16ｄが外れるのを防止する抜止部18ｅ側（図４（ｂ）の矢印Ｊ方向側）の位置に配置されている。
【００４６】
＜固定軸部及び抜止部＞
次に、図３、図４、図６〜図11を用いて第二枠体18の内面に立設された固定軸部18ａと、該固定軸部18ａの先端部に設けられ、該固定軸部18ａから現像剤袋16の被固定穴16ｄが外れるのを防止する抜止部18ｅの構成について説明する。
【００４７】
図６は抜止部18ｅを固定軸部18ａの軸線18ｄと垂直な平面上に投影して見た説明図である。図７（ａ）〜（ｃ）は現像剤袋16の被固定穴16ｄを該被固定穴16ｄの縁部の弾性変形により抜止部18ｅ側（抜止部側）から該抜止部18ｅを乗り越えて固定軸部18ａに挿通して係止する様子を説明する斜視説明図である。図８（ａ）〜（ｆ）は開封部材20により現像剤袋16の開口部35ａを開封する過程を説明する断面説明図である。
【００４８】
図９（ａ）は抜止部18ｅと第一接合部22ａとの移動径路上の離間距離Ｋの一例を示す断面説明図、（ｂ）は可撓性を有する現像剤袋16の形状が変形した場合の抜止部18ｅと第一接合部22ａとの移動径路上の離間距離Ｋの一例を示す断面説明図である。
【００４９】
図10は抜止部18ｅを固定軸部18ａの軸線18ｄと垂直な平面上に投影して見た図である。その際に、直線状の係止稜線18ｆの被固定穴16ｄの縁部よりも外側の外端部18ｉが、該被固定穴16ｄの縁部が係止される係止部18ｈよりも第一接合部22ａまでの離間距離が近い様子を示す説明図である。
【００５０】
図４に示すように、現像剤袋16は、第二枠体18の内面に立設された固定軸部18ａに係止して固定される被固定穴16ｄを有する。被固定穴16ｄは、該被固定穴16ｄの縁部の弾性変形により、固定軸部18ａの先端部に設けられた抜止部18ｅ側から該抜止部18ｅを乗り越えて該固定軸部18ａに挿通して係止される。
【００５１】
本実施形態の抜止部18ｅは、図６及び図７に示すように、抜止部18ｅを固定軸部18ａの軸線18ｄと垂直な平面上に投影して見る。その際に現像剤袋16の被固定穴16ｄの縁部の径よりも大きな外形を有する方形状の一部に台形状の凹部が形成された形状を有する。そして、被固定穴16ｄの縁部を係止する係止稜線18ｆが直線状に形成されたものである。
【００５２】
次に、図７を用いて第二枠体18の内面に立設された固定軸部18ａに現像剤袋16に設けられた被固定穴16ｄを挿通して係止し、固定する方法について説明する。現像剤袋16に設けられた被固定穴16ｄは、図３に示すように、現像剤袋16を形成するシート16ｕ及びシート16ｓの接合部16ｃに貫通穴を開けて構成されている。被固定穴16ｄの縁部も現像剤袋16と同様に弾性変形可能な弾性体である。
【００５３】
先ず、図７（ａ）に示すように、現像剤袋16の被固定穴16ｄを抜止部18ｅの先端部側（図７の上方側）から図７（ａ）の矢印Ｙ方向に挿入する。次に、図７（ｂ）に示すように、被固定穴16ｄの縁部を弾性変形により拡張させて抜止部18ｅを乗り越えて図７（ｃ）に示すように、固定軸部18ａに挿入する。被固定穴16ｄの縁部が弾性変形により抜止部18ｅを乗り越えた後は、図７（ｃ）に示すように、被固定穴16ｄの縁部が収縮し、抜止部18ｅを乗り越える前の図７（ａ）に示す形状に復元する。これにより被固定穴16ｄが固定軸部18ａに挿通された状態で抜止部18ｅに係止されて固定される。
【００５４】
本実施形態では、現像剤袋16を第二枠体18に固定する際に、熱カシメ、超音波カシメのような特別な工具を必要とせず、また溶剤や接着剤、或いは両面テープ等のように追加部材も必要とせずに、現像剤袋16を第二枠体18に固定することが出来る。
【００５５】
被固定穴16ｄは封止部材19を現像剤袋16から開封する際に力を受ける。被固定穴16ｄは図３に示すように、複数の開口部35ａが配置されている矢印Ｆ方向と平行に所定ピッチで複数個設けられている。被固定穴16ｄは現像剤袋16の開口部35ａの近傍位置に設けられる。被固定穴16ｄが第二枠体18の内面に立設された固定軸部18ａに挿通されて嵌まり、第二枠体18の内面と抜止部18ｅとにより係止されることで該固定軸部18ａの軸線18ｄに対して垂直方向への移動を抑制する。
【００５６】
また、固定軸部18ａの先端部には被固定穴16ｄの内周径よりも外周径が大きい抜止部18ｅが設けられている。抜止部18ｅと第二枠体18の内面とにより被固定穴16ｄの縁部が挟み込まれる。これにより、現像剤袋16が固定軸部18ａの軸線18ｄの方向へ移動ことを抑制する。
【００５７】
図４に示すように、開封部材20が回転軸20ｄを中心に図４の矢印Ｃ方向に回転して封止部材19が開封部材20の外周面に巻回されて図４の矢印Ｄ方向に引っ張られると、該封止部材19の封止部19ａが現像剤袋16から剥離される。このとき、現像剤袋16が封止部材19を介して図４の矢印Ｄ方向に引っ張られると、図８（ｃ），（ｄ）に示すように、固定軸部18ａに挿通された該現像剤袋16の被固定穴16ｄも図８（ｃ）の矢印Ｄ方向に引っ張られようとする力が加わる。そして、現像剤袋16は、固定軸部18ａの先端部に設けられた抜止部18ｅに係止される縁部が開封部材20が封止部材19を巻回する力点部20ａに向けて図８（ｃ）の矢印Ｄ方向に引っ張られる。
【００５８】
現像剤袋16が図８（ｃ）の矢印Ｄ方向に引っ張られる。すると、被固定穴16ｄは、図６に示すように、矢印Ｆ方向と垂直な矢印Ｌ方向（所定方向）に引っ張られ、断面楕円形状の固定軸部18ａの矢印Ｌ方向における後端部18ｂに突き当たり、該被固定穴16ｄの縁部が抜止部18ｅに突き当たるまで移動する。
【００５９】
図６に示すように、現像剤袋16の被固定穴16ｄの矢印Ｌ方向における先端部側の縁部が抜止部18ｅの矢印Ｌ方向における先端部側に配置された係止稜線18ｆに突き当たって係止される。
【００６０】
本実施形態では、図６に示すように、固定軸部18ａの軸線18ｄと垂直な平面上に投影した際に、封止部材19が開封されるときに被固定穴16ｄの縁部を係止する抜止部18ｅの係止稜線18ｆを考える。そして、該係止稜線18ｆの被固定穴16ｄの縁部よりも外側の外端部18ｉが、該被固定穴16ｄの縁部が係止される係止部18ｈよりも被固定穴16ｄの引っ張り方向となる図６の矢印Ｌ方向における下流側（所定方向下流側）に配置される。
【００６１】
このような抜止部18ｅの形状では、係止稜線18ｆ上の被固定穴16ｄの縁部よりも外側の外端部18ｉが、該被固定穴16ｄの縁部が係止される係止部18ｈよりも第一接合部22ａまでの離間距離が近い形状となっている。
【００６２】
図10に示すように、被固定穴16ｄが固定軸部18ａに対して図10の矢印Ｆ方向にガタを有する形状の場合を考える。その場合、抜止部18ｅの係止稜線18ｆ上の被固定穴16ｄの縁部が係止される係止部18ｈよりも外端部18ｉの方が被固定穴16ｄの引っ張り方向となる図10の矢印Ｌ方向における下流側（図10の上側）に配置される。外端部18ｉは該係止稜線18ｆの被固定穴16ｄの縁部よりも外側に配置される。そして、外端部18ｉから第一接合部22ａまでの離間距離が係止部18ｈから第一接合部22ａまでの離間距離よりも小さい（近い）形状について説明する。
【００６３】
被固定穴16ｄが固定軸部18ａに対して図10の矢印Ｆ方向にガタを有する形状の場合がある。その場合、抜止部18ｅの係止稜線18ｆ上の被固定穴16ｄの縁部が係止される係止部18ｈが最も固定軸部18ａ側に近寄り得る位置よりも最も固定軸部18ａから離れ得る位置の方が第一接合部22ａまでの離間距離が近くなっている。外端部18ｉは該係止稜線18ｆの被固定穴16ｄの縁部よりも外側に配置される。
【００６４】
また、第一接合部22ａからの離間距離Ｋが近い形状とは、図９（ａ），（ｂ）に示すように、係止稜線18ｆ上から現像剤袋16の表面に沿った経路上の第一接合部22ａまでの離間距離Ｋを指す。
【００６５】
可撓性を有する現像剤袋16の形状が図９（ｂ）のように変形した場合がある。その場合においても、図９（ａ）と同様に、抜止部18ｅの係止稜線18ｆ上の被固定穴16ｄの縁部が係止される係止部18ｈよりも該係止稜線18ｆの被固定穴16ｄの縁部よりも外側の外端部18ｉの方が第一接合部22ａまでの離間距離Ｋが近い形状となる。
【００６６】
このように、第二枠体18の内面に立設される固定軸部18ａ及び該固定軸部18ａの先端部に設けられる抜止部18ｅは、現像剤袋16の封止部材19を引っ張って開口部35ａを開封する際に該現像剤袋16を封止部材19の引っ張り力に抗して支持する。
【００６７】
＜現像剤袋の開封動作＞
次に、図４、図６、図８を用いて現像剤袋16の封止部19ａの開封動作について説明する。
【００６８】
現像剤袋16の封止部19ａを開封するために回転軸20ｄを中心に図４（ａ）の矢印Ｃ方向に回転する断面方形状の開封部材20の角部が封止部材19に当接する力点部20ａに該封止部材19を図４（ａ）の矢印Ｄ方向に引っ張る力が与えられる。現像装置38は、開封部材20により巻回される封止部材19により引っ張られる現像剤袋16の被固定穴16ｄが挿通して係止された第二枠体18の内面に立設される固定軸部18ａと、該固定軸部18ａの先端部に設けられる抜止部18ｅとを有している。
【００６９】
開封部材20の角部が封止部材19に当接する力点部20ａとは、現像剤袋16の封止部19ａを開封する際に封止部材19と開封部材20の角部とが接している部分のうち、封止部材19上で第一接合部22ａに最も近い部分である。
【００７０】
先ず、図４（ａ）に示すように、開封部材20は画像形成装置Ｂ本体に設けられた図示しない駆動手段により回転駆動力が伝達されて回転軸20ｄを中心に図４（ａ）の矢印Ｃ方向に回転する。そして、開封部材20の回転が進むことで、該開封部材20の係合部20ｂに被係合部19ｂが係止された封止部材19が図４（ａ）の矢印Ｄ方向に引っ張られて第一接合部22ａの開封が始まる。第一接合部22ａの開封が始まる直前の状態を図８（ａ），（ｂ）に示す。
【００７１】
図８（ｃ），（ｄ）に示すように、開封部材20の回転に伴い封止部材19は図８（ｃ）の矢印Ｄ方向に引っ張られる。該開封部材20に被係合部19ｂで固定された封止部材19は開封部材20の角部と該封止部材19との接触部からなる力点部20ａに作用する引っ張り力により図８（ｃ）の矢印Ｄ方向に引っ張られる。封止部材19が図８（ｃ）の矢印Ｄ方向に引っ張られると、第一接合部22ａを介して現像剤袋16が図８（ｃ）の矢印Ｄ方向に引っ張られる。このとき、現像剤袋16の被固定穴16ｄは図８（ｄ）の矢印Ｌ方向に引っ張られる。
【００７２】
このとき、被固定穴16ｄの縁部は固定軸部18ａの後端部18ｂと、抜止部18ｅの係止稜線18ｆとに当接係止されて移動が抑制され、現像剤袋16は力点部20ａに向けて引っ張られる。すると、図８（ｃ）に示す開封部材20の回転軸20ｄに垂直な断面において、第一接合部22ａは、力点部20ａと係止稜線18ｆ上の係止部18ｈとを結んだ直線上に近づくように移動する。そして、封止部材19が第一接合部22ａと被係合部19ｂとの間の折り返し部19ｄで折り返されている。このため第一接合部22ａの部分に図８（ｃ）の矢印Ｄ方向に傾斜剥離するように引っ張り力が作用し、第一接合部22ａの剥離が行われて排出部35の開封が始まる。
【００７３】
第一接合部22ａの剥離が行われて封止部材19が開封されて開口部35ａが露出した後に、第二接合部22ｂの剥離に入る状態を図８（ｅ），（ｆ）に示す。このときも第一接合部22ａの剥離と同様に封止部材19は力点部20ａの方へ引っ張られ、現像剤袋16の縁部は引き続き、固定軸部18ａの後端部18ｂと、抜止部18ｅの係止稜線18ｆとにより係止されて移動が抑制されている。
【００７４】
すると、図８（ｅ）に示す開封部材20の回転軸20ｄに垂直な断面において、第二接合部22ｂは、力点部20ａと係止稜線18ｆ上の係止部18ｈとを結んだ直線上に近づくように移動する。そして、第二接合部22ｂの部分に図８（ｅ）の矢印Ｄ方向に傾斜剥離するように引っ張り力が作用し、第二接合部22ｂが剥離して封止部材19が現像剤袋16から外れて開封部材20に巻き取られる。そして、封止部19ａの開封が完了し、現像剤が開口部35ａを通って現像剤収容容器30内に排出され、現像剤供給ローラ23を介して現像ローラ13に供給される。
【００７５】
この一連の封止部19ａの開封動作において、図６に示すように、固定軸部18ａの軸線18ｄと垂直な平面上に投影した際に、封止部材19が開封されるときに被固定穴16ｄの縁部を係止する抜止部18ｅの係止稜線18ｆを考える。係止稜線18ｆにおいて、該係止稜線18ｆの被固定穴16ｄの縁部よりも外側の外端部18ｉから第一接合部22ａまでの離間距離が、被固定穴16ｄの縁部が係止される係止部18ｈから第一接合部22ａまでの離間距離よりも小さい。
【００７６】
即ち、外端部18ｉが係止部18ｈよりも被固定穴16ｄの引っ張り方向となる図６の矢印Ｌ方向下流側で第一接合部22ａに近い距離となっている。このため、封止部材19を介して現像剤袋16が引っ張られる。すると、被固定穴16ｄの縁部には係止稜線18ｆに沿って該係止稜線18ｆ上の被固定穴16ｄの縁部よりも外側の外端部18ｉから被固定穴16ｄの縁部が係止される係止部18ｈ方向に移動する力Ｍ１を受ける。この移動する力Ｍ１により被固定穴16ｄの縁部は係止部18ｈ側に寄せられる。このため、被固定穴16ｄが抜止部18ｅから外れることがなく、安定して現像剤袋16の開口部35ａの開封を実現出来る。
【００７７】
［比較例］
【００７８】
以下に図23〜図26を用いて比較例の円錐台状の抜止部1018ｅを用いた場合の課題について説明する。図23は比較例の抜止部1018ｅを固定軸部1018ａの軸線1018ｄと垂直な平面上に投影して見た様子を示す説明図である。図24（ａ）〜（ｄ）は比較例の抜止部1018ｅを用いたときに現像剤袋16の封止部19ａの開封が困難であることを説明する開封過程を示す断面説明図である。
【００７９】
図25（ａ）〜（ｃ）は比較例の抜止部1018ｅを用いたときに現像剤袋16の封止部19ａの開封が困難であることを説明する開封過程を示す斜視説明図である。図26は比較例の抜止部1018ｅを用いたときに被固定穴1016ｄが抜止部1018ｅから外れて現像剤袋16の封止部19ａが開封され、開封後の現像剤袋16が異常変形して現像剤供給ローラ23に現像剤を安定して供給出来ない様子を示す断面説明図である。
【００８０】
比較例の抜止部1018ｅは、図25に示すように、断面真円形状で構成される。そして、図23に示すように、比較例の抜止部1018ｅを固定軸部1018ａの軸線1018ｄと垂直な平面上に投影する。その際に、封止部材19が開封されるときに被固定穴1016ｄの縁部を係止する抜止部1018ｅの係止稜線1018ｆを考える。係止稜線1018ｆにおいて、被固定穴1016ｄの縁部が係止される係止部1018ｈから第一接合部22ａまでの離間距離の方が、外端部1018ｉから第一接合部22ａまでの離間距離よりも小さい（近い）形状である。外端部1018ｉは該係止稜線1018ｆの被固定穴1016ｄの縁部よりも最も外側に配置される部位である。
【００８１】
この形状で、図24（ｂ）に示すように、開封部材20が回転軸20ｄを中心に図24（ｂ）の矢印Ｃ方向に回転して封止部材19が図24（ｂ）の矢印Ｄ方向に引っ張られると、第一接合部22ａを介して現像剤袋16も図24（ｂ）の矢印Ｄ方向に引っ張られる。すると、図23に示すように、抜止部1018ｅの係止稜線1018ｆ上の被固定穴1016ｄの縁部が係止される係止部1018ｈから該係止稜線1018ｆ上の被固定穴1016ｄの縁部よりも外側の外端部1018ｉの方向に移動する力Ｍ２を受ける。
【００８２】
図23に示すように、抜止部1018ｅの係止稜線1018ｆ上の係止部1018ｈから外端部1018ｉの方向に移動する力Ｍ２を受けると、被固定穴1016ｄは抜止部1018ｅから外れる方向に力Ｍ２を受ける。そして、図24（ｃ）及び図25（ｃ）に示すように、被固定穴1016ｄの矢印Ｌ方向の下流側（図24（ｃ）及び図25（ｃ）の上方側）から該被固定穴1016ｄが抜止部1018ｅから外れてしまう。
【００８３】
更に開封部材20が回転軸20ｄを中心に図24（ｄ）の矢印Ｃ方向に回転すると、図24（ｄ）に示すように被固定穴1016ｄが抜止部1018ｅから完全に外れてしまう。これにより、現像剤袋16の封止部19ａの開封が出来なくなってしまう。
【００８４】
或いは、図24（ｃ）、図25（ｃ）及び図26に示すように、被固定穴1016ｄの矢印Ｌ方向の下流側（図24（ｃ）及び図25（ｃ）の上方側）の端部が抜止部1018ｅから外れた状態で現像剤袋16の封止部19ａの開封が完了する場合がある。その場合、図26に示すように、現像剤袋16が異常変形した状態となる。この異常変形した状態では、開口部35ａから所望の現像剤排出量を得ることが出来ない。また、現像剤供給ローラ23と開口部35ａとの位置関係が被固定穴1016ｄが固定軸部1018ａに完全に係止されて固定されている状態とは異なる位置となる。このため、現像剤供給ローラ23に現像剤を安定して供給することが出来ないという問題がある。
【実施例２】
【００８５】
次に図11（ａ）を用いて本発明に係る現像剤収容ユニットの第２実施形態の構成について説明する。尚、前記第１実施形態と同様に構成したものは、同一の符号を付して説明を省略する。
【００８６】
前記第１実施形態では、被固定穴16ｄの縁部が係止される係止部18ｈと、係止稜線18ｆの被固定穴16ｄの縁部よりも外側の外端部18ｉと、を直線で結んだ形状とした。しかし、係止稜線18ｆは直線である必要はなく、例えば、図11（ａ）に示すように、係止稜線18ｆは曲線形状あっても良い。
【００８７】
図11（ａ）は本実施形態の現像剤収容ユニット25の抜止部18ｅを固定軸部18ａの軸線18ｄと垂直な平面上に投影して見た図である。その際に、曲線状の係止稜線18ｆの被固定穴16ｄの縁部よりも外側の外端部18ｉから第一接合部22ａまでの離間距離の方が、該被固定穴16ｄの縁部が係止される係止部18ｈから第一接合部22ａまでの離間距離よりも小さい（近い）。
【００８８】
本実施形態の抜止部18ｅは、図11（ａ）に示すように、抜止部18ｅを固定軸部18ａの軸線18ｄと垂直な平面上に投影して見る。その際に現像剤袋16の被固定穴16ｄの縁部の径よりも大きな外形を有する方形状の一部に曲線と直線とからなる凹部が形成された形状を有する。そして、被固定穴16ｄの縁部を係止する係止稜線18ｆが曲線状に形成されたものである。そして、被固定穴16ｄの縁部が係止される係止部18ｈから第一接合部22ａまでの離間距離よりも、係止稜線18ｆの被固定穴16ｄの縁部よりも外側の外端部18ｉから第一接合部22ａまでの離間距離の方が小さい（近い）構成とした。
【００８９】
例えば、図19に示して後述するように、係止部18ｈから第一接合部22ａまでの離間距離と、係止稜線18ｆの被固定穴16ｄの縁部よりも外側の外端部18ｉから第一接合部22ａまでの離間距離とが等しい距離の場合がある。係止部18ｈは被固定穴16ｄの縁部が係止される部位である。そして、被固定穴16ｄの引っ張り方向となる図11（ａ）の矢印Ｌ方向において係止部18ｈと外端部18ｉとが一致した位置に配置された場合がある。
【００９０】
その場合であっても、図23に示して前述した比較例のように、被固定穴16ｄに被固定穴16ｄの縁部が係止される係止部18ｈから係止稜線18ｆの被固定穴16ｄの縁部よりも外側の外端部18ｉ方向に移動する力Ｍ２を生じることはない。これにより、封止部材19を介して現像剤袋16が引っ張られても被固定穴16ｄが抜止部18ｅから外れることがなく、安定して現像剤袋16の開口部35ａの開封を実現出来る。
【００９１】
本実施形態では、封止部材19を介して現像剤袋16が引っ張られる。すると、被固定穴16ｄの縁部には、係止稜線18ｆの被固定穴16ｄの縁部よりも外側の外端部18ｉから該被固定穴16ｄの縁部が係止される係止部18ｈの方向に移動する力Ｍ１が生じる。これにより、前述した第１実施形態と同様の効果を得られる。他の構成は前記第１実施形態と同様に構成され、同様の効果を得ることが出来る。
【実施例３】
【００９２】
次に図11（ｂ）を用いて本発明に係る現像剤収容ユニットの第３実施形態の構成について説明する。尚、前記各実施形態と同様に構成したものは、同一の符号を付して説明を省略する。
【００９３】
前記第１、第２実施形態では、抜止部18ｅを固定軸部18ａの軸線18ｄと垂直な平面上に投影して見た際の形状において係止稜線18ｆの部分以外の全体を方形状で構成した。本実施形態では、抜止部18ｅを固定軸部18ａの軸線18ｄと垂直な平面上に投影して見た際の形状において係止稜線18ｆの部分以外の全体を楕円形状で構成した。これにより、被固定穴16ｄの縁部を弾性変形により拡張させて抜止部18ｅを乗り越えて固定軸部18ａに挿入する際に挿入し易い。
【００９４】
図11（ｂ）は現像剤収容ユニット25の抜止部18ｅを固定軸部18ａの軸線18ｄと垂直な平面上に投影して見た図である。その際に、直線状の係止稜線18ｆの被固定穴16ｄの縁部よりも外側の外端部18ｉから第一接合部22ａまでの離間距離が、該被固定穴16ｄの縁部が係止される係止部18ｈから第一接合部22ａまでの離間距離よりも小さい（近い）。
【００９５】
図11（ｂ）に示すように、直線状の係止稜線18ｆ以外の抜止部18ｅの形状は、図６に示す第１実施形態や図11（ａ）に示す第２実施形態のように直線形状である必要はない。そして、被固定穴16ｄの縁部を弾性変形により拡張させて抜止部18ｅを乗り越えて固定軸部18ａに挿入する際に挿入し易い種々の形状を適宜用いれば良い。他の構成は前記各実施形態と同様に構成され、同様の効果を得ることが出来る。
【実施例４】
【００９６】
次に図12を用いて本発明に係る現像剤収容ユニットの第４実施形態の構成について説明する。尚、前記各実施形態と同様に構成したものは、一部は同一の符号を付すと共に、各実施形態毎に符号が異なるものの同一の部材名を付与して重複する説明を省略する。
【００９７】
図12（ａ）は本実施形態の現像剤収容ユニット25の左右の抜止部218ｌ，218ｒを固定軸部218ａの軸線218ｄと垂直な平面上に投影して見た図である。その際に、係止稜線218ｆの被固定穴216ｄの縁部よりも外側の外端部218ｉから第一接合部22ａまでの離間距離が、該被固定穴216ｄの縁部が係止される係止部218ｈから第一接合部22ａまでの離間距離よりも小さい（近い）。図12（ｂ），（ｃ）は図12（ａ）の部分拡大図である。
【００９８】
前記各実施形態では、現像剤袋16に複数個設けられている被固定穴16ｄの縁部の径よりも大きな外形を有する抜止部18ｅを設けた。これにより、図６及び図11に示す固定軸部18ａの矢印Ｆ方向の両側に係止稜線18ｆが設けられる一例について説明した。
【００９９】
本実施形態では、図12に示すように、現像剤袋16に真円状の被固定穴216ｄが複数個設けられている。被固定穴216ｄに対して複数個設けられている固定軸部218ａのそれぞれの左右片側に突出して被固定穴216ｄの径よりも大きな外形を有する台形状の抜止部218ｌ，218ｒを設ける。抜止部218ｌ，218ｒにより固定軸部218ａから被固定穴216ｄが外れるのを防止する。
【０１００】
本実施形態では、図12（ａ）に示すように、複数の固定軸部218ａが設けられる。そのうち、図12（ａ）の矢印Ｆ方向における両端部の固定軸部218ａの抜止部218ｌ，218ｒはそれぞれ固定軸部218ａよりも図12（ａ）の矢印Ｆ方向において左右外側にそれぞれ突出して配置される。図12（ａ）の矢印Ｆ方向における中間部の固定軸部218ａの抜止部218ｌ，218ｒは図12（ａ）の矢印Ｆ方向において固定軸部218ａの左右外側にそれぞれ突出して配置される抜止部218ｌ，218ｒを有する。その個数が左側向きと右側向きとで等しくなるように配置される。
【０１０１】
図12（ａ）に示すように、本実施形態において、封止部材19が開封される。そのときに被固定穴216ｄの縁部を係止する各抜止部218ｌ，218ｒの直線状の係止稜線218ｆの形状は前記各実施形態と同様である。即ち、固定軸部218ａの軸線218ｄと垂直な平面上に投影する。その際に該係止稜線218ｆの被固定穴216ｄの縁部よりも外側の外端部218ｉから第一接合部22ａまでの離間距離が、被固定穴216ｄの縁部が係止される係止部218ｈから第一接合部22ａまでの離間距離よりも小さい（近い）形状とする。
【０１０２】
固定軸部218ａの外径よりも左右外側にそれぞれ突出する抜止部218ｌ，218ｒを設けることで、現像剤袋16の図12（ａ）の矢印Ｆ方向における両端部を係止する位置は前記各実施形態と略同様に構成出来る。
【０１０３】
また、固定軸部218ａよりも図12（ａ）の矢印Ｆ方向において左側に突出する抜止部218ｌと、固定軸部218ａよりも図12（ａ）の矢印Ｆ方向において右側に突出する抜止部218ｒとを同数で且つ図12（ａ）の矢印Ｆ方向において交互に配置する。
【０１０４】
これにより、図12（ｂ），（ｃ）に示すように、固定軸部218ａの外径よりも左右外側にそれぞれ突出する抜止部218ｌ，218ｒの係止稜線218ｆ上を外端部218ｉから係止部218ｈに移動する力Ｍ１が左右方向で互いに相殺出来る。そして、現像剤袋16が図12（ａ）の矢印Ｆ方向において片側に寄ろうとする力が生じない。他の構成は前記各実施形態と同様に構成され、同様の効果を得ることが出来る。
【実施例５】
【０１０５】
次に図13（ａ）〜（ｃ）を用いて本発明に係る現像剤収容ユニットの第５実施形態の構成について説明する。尚、前記各実施形態と同様に構成したものは、同一の符号を付して説明を省略する。
【０１０６】
図13（ａ）は本実施形態の現像剤収容ユニット25の左右の抜止部218ｌ，218ｒを固定軸部218ａの軸線218ｄと垂直な平面上に投影して見た図である。その際に、係止稜線218ｆの被固定穴216ｄの縁部よりも外側の外端部218ｉが、該被固定穴216ｄの縁部が係止される係止部218ｈよりも第一接合部22ａまでの離間距離が近い様子を示す説明図である。図13（ｂ），（ｃ）は図13（ａ）の部分拡大図である。
【０１０７】
前記第４実施形態では、固定軸部218ａよりも図12（ａ）の矢印Ｆ方向において左側に突出する抜止部218ｌを有する。更に、固定軸部218ａよりも図12（ａ）の矢印Ｆ方向において右側に突出する抜止部218ｒを有する。更に、抜止部218ｌと抜止部218ｒとを図12（ａ）の矢印Ｆ方向において交互に配置した。
【０１０８】
本実施形態では、図13（ａ）に示すように、現像剤袋16の図13（ａ）の矢印Ｆ方向において中央部から図13（ａ）の左側に固定軸部218ａよりも図13（ａ）の矢印Ｆ方向において左側に突出する抜止部218ｌを配置する。更に、現像剤袋16の図13（ａ）の矢印Ｆ方向において中央部から図13（ａ）の右側に固定軸部218ａよりも図13（ａ）の矢印Ｆ方向において右側に突出する抜止部218ｒを配置する。
【０１０９】
また、図13（ａ）の左側の抜止部218ｌと、図13（ａ）の右側の抜止部218ｒとが同数である。この場合、図13（ｂ），（ｃ）に示すように、固定軸部218ａの外径よりも左右外側にそれぞれ突出する抜止部218ｌ，218ｒの係止稜線218ｆ上を外端部218ｉから係止部218ｈに移動する力Ｍ１が左右方向で互いに相殺出来る。そして、現像剤袋16が図13（ａ）の矢印Ｆ方向において片側に寄ろうとする力が生じない。他の構成は前記各実施形態と同様に構成され、同様の効果を得ることが出来る。
【実施例６】
【０１１０】
次に図13（ｄ），（ｅ）を用いて本発明に係る現像剤収容ユニットの第６実施形態の構成について説明する。尚、前記各実施形態と同様に構成したものは、同一の符号を付して説明を省略する。
【０１１１】
図13（ｄ）は本実施形態の現像剤収容ユニット25の左右の抜止部218ｌ，218ｒを固定軸部218ａの軸線218ｄと垂直な平面上に投影して見た図である。その際に、係止稜線218ｆの方形状の被固定穴216ｄの縁部よりも外側の外端部218ｉが、該被固定穴216ｄの縁部が係止される係止部218ｈよりも第一接合部22ａまでの離間距離が近い様子を示す説明図である。図13（ｅ）は図13（ｄ）の部分拡大図である。
【０１１２】
前記各実施形態では、各固定軸部18ａ，218ａの全てに対して、被固定穴16ｄ，216ｄを設けて構成した。本実施形態では、近傍に隣接された一対の左右の抜止部218ｌ，218ｒに対して一つの方形状の被固定穴216ｄを設けて構成したものである。
【０１１３】
図13（ｄ）に示すように、固定軸部218ａよりも図13（ｄ）の矢印Ｆ方向において左側に突出する抜止部218ｌを有する。更に、固定軸部218ａよりも図13（ｄ）の矢印Ｆ方向において右側に突出する抜止部218ｒを有する。そして、抜止部218ｌと抜止部218ｒとを図13（ａ）の矢印Ｆ方向において交互に配置する。更に、左右一対の抜止部218ｌと抜止部218ｒとを互いに近接させて配置する。そして、左右一対の抜止部218ｌと抜止部218ｒとが一つの方形状の被固定穴216ｄに挿入されて、固定軸部218ａから被固定穴216ｄが外れるのを防止する。
【０１１４】
本実施形態では、各固定軸部218ａの全てに対して、被固定穴216ｄを設ける必要はなく、現像剤袋16の引っ張り強度を向上することが出来る。他の構成は前記各実施形態と同様に構成され、同様の効果を得ることが出来る。
【実施例７】
【０１１５】
次に図14〜図16を用いて本発明に係る現像剤収容ユニットの第６実施形態の構成について説明する。尚、前記各実施形態と同様に構成したものは、一部は同一の符号を付すと共に、各実施形態毎に符号が異なるものの同一の部材名を付与して重複する説明を省略する。
【０１１６】
図14は本実施形態の現像剤収容ユニット25の抜止部318ｅの係止稜線318ｆの被固定穴316ｄの縁部よりも外側の外端部318ｉが、係止部318ｈよりも固定軸部318ａの軸線318ｄ方向において該被固定穴316ｄ側に突出する。その様子を示す斜視説明図である。係止部318ｈは該被固定穴316ｄの縁部が係止される部位である。
【０１１７】
図15は本実施形態の抜止部318ｅを固定軸部318ａの軸線318ｄと垂直な平面上に投影して見た様子を示す説明図である。図16は本実施形態の抜止部318ｅの係止稜線318ｆの被固定穴316ｄの縁部よりも外側の外端部318ｉが、該被固定穴316ｄの縁部が係止される係止部318ｈよりも固定軸部318ａの軸線318ｄ方向において該被固定穴316ｄ側に突出する。その様子を示す断面説明図である。
【０１１８】
前記各実施形態では、図７に示されたように、封止部材19が開封される。そのときに被固定穴16ｄ，216ｄ，316ｄの縁部を係止する抜止部18ｅ，218ｌ，218ｒ，318ｅの係止稜線18ｆ，218ｆ，318ｆを考える。
【０１１９】
そのとき、係止稜線18ｆ，218ｆ，318ｆにおいて、外端部18ｉ，218ｉ，318ｉと、係止部18ｈ，218ｈ，318ｈとは固定軸部18ａ，218ａ，318ａの軸線18ｄ，218ｄ，318ｄ方向において同一平面上に配置した。外端部18ｉ，218ｉ，318ｉは該係止稜線18ｆ，218ｆ，318ｆの被固定穴16ｄ，216ｄ，316ｄの縁部よりも外側に配置される最端部である。係止部18ｈ，218ｈ，318ｈは被固定穴16ｄ，216ｄ，316ｄの縁部が係止される部位である。
【０１２０】
本実施形態では、図14及び図16に示すように、封止部材19が開封されるときに現像剤袋16に設けられる楕円形状の被固定穴316ｄの縁部を係止して固定軸部318ａから被固定穴316ｄが外れるのを防止する抜止部318ｅの係止稜線318ｆを考える。係止稜線318ｆにおいて、外端部318ｉが、被固定穴316ｄの縁部が係止される係止部318ｈよりも固定軸部318ａの軸線318ｄ方向（軸線方向）において図16の下方側となる被固定穴316ｄ側（被固定穴側）に突出する構成とした。外端部318ｉは該係止稜線318ｆの被固定穴316ｄの縁部よりも外側に配置される最端部である。
【０１２１】
前記各実施形態では、図６、図10、図11〜図13に示すように、抜止部18ｅ，218ｌ，218ｒ，318ｅを固定軸部18ａ，218ａ，318ａの軸線18ｄ，218ｄ，318ｄと垂直な平面上に投影する。その際に、封止部材19が開封されるときに被固定穴16ｄ，216ｄ，316ｄの縁部を係止する抜止部18ｅ，218ｌ，218ｒ，318ｅの係止稜線18ｆ，218ｆ，318ｆを考える。
【０１２２】
そのとき、係止稜線18ｆ，218ｆ，318ｆにおいて、外端部18ｉ，218ｉ，318ｉが、被固定穴16ｄ，216ｄ，316ｄの縁部が係止される係止部18ｈ，218ｈ，318ｈよりも第一接合部22ａに近い距離とした。外端部18ｉ，218ｉ，318ｉは該係止稜線18ｆ，218ｆ，318ｆの被固定穴16ｄ，216ｄ，316ｄの縁部よりも外側に配置される最端部である。
【０１２３】
これにより、封止部材19を介して現像剤袋16が引っ張られる。すると、被固定穴16ｄ，216ｄ，316ｄの縁部には係止稜線18ｆ，218ｆ，318ｆに沿って外端部18ｉ，218ｉ，318ｉから係止部18ｈ，218ｈ，318ｈの方向に移動する力Ｍ１を受ける。外端部18ｉ，218ｉ，318ｉは該係止稜線18ｆ，218ｆ，318ｆ上の被固定穴16ｄ，216ｄ，316ｄの縁部よりも外側に配置される最端部である。係止部18ｈ，218ｈ，318ｈは被固定穴16ｄ，216ｄ，316ｄの縁部が係止される部位である。
【０１２４】
この移動する力Ｍ１により被固定穴16ｄ，216ｄ，316ｄの縁部は係止部18ｈ，218ｈ，318ｈ側に寄せられる。このため、被固定穴16ｄ，216ｄ，316ｄが抜止部18ｅ，218ｌ，218ｒ，318ｅから外れることがなく、安定して現像剤袋16の開口部35ａの開封を実現出来る。
【０１２５】
本実施形態では、図15に示すように、抜止部318ｅを固定軸部318ａの軸線318ｄと垂直な平面上に投影する。その際に、封止部材19が開封されるときに被固定穴316ｄの縁部を係止する抜止部318ｅの係止稜線318ｆを考える。係止稜線318ｆにおいて、該係止稜線318ｆの被固定穴316ｄの縁部よりも外側の外端部318ｉが、被固定穴316ｄの縁部が係止される係止部318ｈよりも第一接合部22ａから遠い距離とした。
【０１２６】
図15に示すように、開封部材20が回転軸20ｄを中心に回転して封止部材19を介して現像剤袋16が引っ張られる。すると、被固定穴316ｄは、固定軸部318ａの軸線318ｄ方向においては該被固定穴316ｄの縁部が係止される係止部318ｈから係止稜線318ｆの被固定穴316ｄの縁部よりも外側の外端部318ｉの方向に移動する力Ｍ２を受ける。一方、固定軸部318ａの軸線318ｄと垂直な方向においては、図16に示すように、係止稜線318ｆの被固定穴316ｄの縁部よりも外側の外端部318ｉから被固定穴316ｄの縁部が係止される係止部318ｈの方向に移動する力Ｎを受ける。
【０１２７】
このような移動する力Ｎにより、被固定穴316ｄの縁部は係止稜線318ｆ上を固定軸部318ａ側に寄る力が作用する。そして、図15に示すように、被固定穴316ｄの縁部が係止稜線318ｆ上を係止部318ｈから外端部318ｉの方向に移動する力Ｍ２を受ける。しかし、被固定穴316ｄは抜止部318ｅから外れることが無い。これにより、安定して現像剤袋16の開口部35ａの開封を実現出来る。他の構成は前記各実施形態と同様に構成され、同様の効果を得ることが出来る。
【実施例８】
【０１２８】
次に図17を用いて本発明に係る現像剤収容ユニットの第８実施形態の構成について説明する。尚、前記各実施形態と同様に構成したものは、一部は同一の符号を付すと共に、各実施形態毎に符号が異なるものの同一の部材名を付与して重複する説明を省略する。
【０１２９】
図17は本実施形態の現像剤収容ユニット25の抜止部418ｅを固定軸部418ａの軸線418ｄと垂直な平面上に投影して見た図である。その際に、係止稜線418ｆの被固定穴416ｄの縁部よりも外側の外端部418ｉが、該被固定穴416ｄの縁部が係止される係止部418ｈよりも第一接合部22ａまでの離間距離が近い様子を示す説明図である。
【０１３０】
前記第７実施形態では、図15に示すように、抜止部318ｅを固定軸部318ａの軸線318ｄと垂直な平面上に投影する。その際に、封止部材19が開封されるときに被固定穴316ｄの縁部を係止する抜止部318ｅの係止稜線318ｆを考える。係止稜線318ｆにおいて、該係止稜線318ｆの被固定穴316ｄの縁部よりも外側の外端部318ｉが、被固定穴316ｄの縁部が係止される係止部318ｈよりも第一接合部22ａから遠い距離とした。
【０１３１】
本実施形態では、図17に示すように、抜止部418ｅを固定軸部418ａの軸線418ｄと垂直な平面上に投影する。その際に、封止部材19が開封されるときに被固定穴416ｄの縁部を係止する抜止部418ｅの係止稜線418ｆを考える。係止稜線418ｆにおいて、外端部418ｉが、被固定穴416ｄの縁部が係止される係止部418ｈよりも封止部19ａの開封方向下流側（図17の上側）に配置され、第一接合部22ａから近い距離とした。外端部418ｉは該係止稜線418ｆの被固定穴416ｄの縁部よりも外側に配置される最端部である。
【０１３２】
これにより、封止部材19を介して現像剤袋16が引っ張られる。すると、被固定穴416ｄの縁部には係止稜線418ｆに沿って該係止稜線418ｆ上の被固定穴416ｄの縁部よりも外側の外端部418ｉから被固定穴416ｄの縁部が係止される係止部418ｈ方向に移動する力Ｍ１を受ける。この移動する力Ｍ１により被固定穴416ｄの縁部は係止部418ｈ側に寄せられる。このため、固定軸部418ａの軸線418ｄと垂直な方向においても被固定穴416ｄが抜止部418ｅから外れようとする力が生じることが無い。これにより、安定して現像剤袋16の開口部35ａの開封を実現出来る。
【０１３３】
本実施形態でも前記第７実施形態と同様に、封止部材19が開封されるときに現像剤袋16に設けられる楕円形状の被固定穴416ｄの縁部を係止して固定軸部418ａから被固定穴416ｄが外れるのを防止する抜止部418ｅの係止稜線418ｆを考える。係止稜線418ｆにおいて、外端部418ｉが、被固定穴416ｄの縁部が係止される係止部418ｈよりも固定軸部418ａの軸線418ｄ方向（軸線方向）において被固定穴416ｄ側（被固定穴側）に突出する構成とした。外端部418ｉは該係止稜線418ｆの被固定穴416ｄの縁部よりも外側に配置される最端部である。
【０１３４】
本実施形態では、抜止部418ｅを固定軸部418ａの軸線418ｄと垂直な平面に投影する。そして、外端部418ｉから開封方向下流端である第一接合部22ａまでの離間距離が、被固定穴416ｄの縁部が係止される係止部418ｈから第一接合部22ａまでの離間距離よりも小さい（近い）形状とした。外端部418ｉは係止稜線418ｆの被固定穴416ｄの縁部よりも外側に配置される最端部である。
【０１３５】
他に、図19に示して後述するように、外端部418ｉと、被固定穴416ｄの縁部が係止される係止部418ｈとが被固定穴16ｄの引っ張り方向（図17の矢印Ｌ方向）において一致した位置に配置されることでも良い。外端部418ｉは係止稜線418ｆの被固定穴416ｄの縁部よりも外側に配置される最端部である。
【０１３６】
また、係止稜線418ｆが被固定穴416ｄの縁部が係止される係止部418ｈと、係止稜線418ｆの被固定穴416ｄの縁部よりも外側の外端部418ｉとを直線で結んだ直線形状とした。他に、図11（ａ）に示して前述した第２実施形態と同様に係止稜線418ｆを曲線形状で構成しても良い。他の構成は前記各実施形態と同様に構成され、同様の効果を得ることが出来る。
【実施例９】
【０１３７】
次に図18〜図20を用いて本発明に係る現像剤収容ユニットの第９実施形態の構成について説明する。尚、前記各実施形態と同様に構成したものは、一部は同一の符号を付すと共に、各実施形態毎に符号が異なるものの同一の部材名を付与して重複する説明を省略する。
【０１３８】
図18は本実施形態の現像剤収容ユニット25の抜止部518ｅの外端部518ｉが、該被固定穴516ｄの縁部が係止される係止部518ｈよりも固定軸部518ａの軸線518ｄ方向において該被固定穴516ｄ側に突出する様子を示す斜視説明図である。外端部518ｉは係止稜線518ｆの被固定穴516ｄの縁部よりも外側に配置される最端部である。
【０１３９】
図19は本実施形態の抜止部518ｅを固定軸部518ａの軸線518ｄと垂直な平面上に投影して見た図である。その際に、係止稜線518ｆの被固定穴516ｄの縁部よりも外側の外端部518ｉと、該被固定穴516ｄの縁部が係止される係止部518ｈとの第一接合部22ａまでの離間距離が等しい。そして、固定軸部518ａの外周面と抜止部518ｅの係止稜線518ｆとが接する。
【０１４０】
図20は本実施形態において、抜止部518ｅの外端部518ｉが、該被固定穴516ｄの縁部が係止される係止部518ｈよりも固定軸部518ａの軸線518ｄ方向において該被固定穴516ｄ側に突出する様子を示す断面説明図である。外端部518ｉは係止稜線518ｆの被固定穴516ｄの縁部よりも外側に配置される最端部である。
【０１４１】
図18〜図20に示すように、本実施形態では、第二枠体18の内面に立設され、現像剤袋16に設けられた被固定穴516ｄに挿通して固定する固定軸部518ａから被固定穴516ｄが外れるのを防止する抜止部518ｅの係止稜線518ｆを考える。係止稜線518ｆは、固定軸部518ａの軸線518ｄと垂直な平面上に投影する。
【０１４２】
その際に、封止部材19が開封されるときに被固定穴516ｄの縁部を係止する抜止部518ｅの係止稜線518ｆにおいて、外端部518ｉと、係止部518ｈとが被固定穴16ｄの引っ張り方向（図19の矢印Ｌ方向）において一致した位置に配置される。そして、外端部518ｉから第一接合部22ａまでの離間距離と、係止部518ｈから第一接合部22ａまでの離間距離とが等しく構成される。外端部518ｉは該係止稜線518ｆの被固定穴516ｄの縁部よりも外側に配置される最端部である。係止部518ｈは被固定穴516ｄの縁部が係止される部位である。
【０１４３】
また、図19に示すように、固定軸部518ａの外周面と、抜止部518ｅの係止稜線518ｆとが接している。即ち、被固定穴516ｄの縁部が係止される抜止部518ｅの係止稜線518ｆ上の二箇所の係止部518ｈを結んだ直線上に固定軸部518ａの外周面との接点518ｎを有する。
【０１４４】
抜止部518ｅの係止稜線518ｆよりも被固定穴516ｄが移動する図19の矢印Ｌ方向の上流側（後端側）の部分において、固定軸部518ａは抜止部518ｅよりも第一接合部22ａからの離間距離が大きい（遠い）突出部518ｐを有する構成とする。即ち、固定軸部518ａの外周面は、抜止部518ｅに対して矢印Ｌ方向の上流側に突出している。これにより、図19の矢印Ｌ方向における抜止部518ｅの長さは固定軸部518ａの外径直径よりも小さい形状とする。
【０１４５】
先ず、図19に示すように、被固定穴516ｄの縁部が係止される係止部518ｈと、係止稜線518ｆの被固定穴516ｄの縁部よりも外側の外端部518ｉとの第一接合部22ａまでの離間距離が互いに等しいことの効果について説明する。
【０１４６】
被固定穴516ｄの縁部を弾性変形により拡張させて抜止部518ｅを乗り越えて固定軸部518ａに挿入する。その際に、係止稜線518ｆの被固定穴516ｄの縁部よりも外側の外端部518ｉが、被固定穴516ｄの縁部が係止される係止部518ｈよりも第一接合部22ａまでの離間距離が近い場合の構成と比較する。すると、被固定穴516ｄの縁部の弾性変形量を小さく抑えられ、被固定穴516ｄの固定軸部518ａへの組み付け作業を容易に行うことが出来る。
【０１４７】
次に、固定軸部518ａの外周面と抜止部518ｅの係止稜線518ｆとが接する接点518ｎと、抜止部518ｅよりも第一接合部22ａからの離間距離が大きい（遠い）突出部518ｐとを有する場合の効果について説明する。
【０１４８】
固定軸部518ａが接点518ｎと、突出部518ｐとを有する。これにより、被固定穴516ｄを固定軸部518ａに組み付けるときに図19の矢印Ｌ方向においては、抜止部518ｅの形状に影響されずに被固定穴516ｄと固定軸部518ａとの間で最小の隙間を有する形状とすることが出来る。
【０１４９】
その結果、封止部材19の開封時に図19の矢印Ｌ方向への現像剤袋16の移動量を最少にすることが出来る。これにより、現像剤袋16の開口部35ａの良好な開封を実現出来る。
【０１５０】
また、被固定穴516ｄを固定軸部518ａに組み付ける。その際に、抜止部518ｅの係止稜線518ｆ以外の部分を小さい形状とする。これにより、被固定穴516ｄの固定軸部518ａへの組み付け時に被固定穴516ｄの縁部の弾性変形量を小さく抑えることが出来る。これにより、被固定穴516ｄの固定軸部518ａへの組み付け作業を容易に行うことが出来る。
【０１５１】
このように、本実施形態の抜止部518ｅ、固定軸部518ａ、被固定穴516ｄを用いれば、現像剤供給ローラ23と開口部35ａとの位置関係が相対的に変化する量を最少とすることが出来る。更に、被固定穴516ｄの固定軸部518ａへの組み付け作業を容易に行うことが出来る。
【０１５２】
図19に示すように、固定軸部518ａの軸線518ｄと垂直な平面上に投影する。その際に、係止稜線318ｆの形状を被固定穴516ｄの縁部が係止される係止部518ｈと、係止稜線518ｆの被固定穴516ｄの縁部よりも外側の外端部518ｉとが同一直線上に配置される。図20に示す固定軸部518ａの軸線518ｄ方向において被固定穴516ｄの縁部が係止される係止部518ｈから係止稜線518ｆの被固定穴516ｄの縁部よりも外側の外端部518ｉ方向に移動する力を生じない。これにより、安定して現像剤袋16の開口部35ａの開封を実現出来る。
【０１５３】
本実施形態においては、固定軸部518ａが接点518ｎと突出部518ｐとを有する一例を示したが、接点518ｎのみであっても、組み付け作業を容易に行えるという効果を得られる。
【０１５４】
尚、図18及び図20に示すように、抜止部518ｅの外端部518ｉが、被固定穴516ｄの縁部が係止される係止部518ｈよりも固定軸部518ａの軸線518ｄ方向において被固定穴516ｄ側（図18及び図20の下側）に突出する。外端部518ｉは係止稜線518ｆの被固定穴516ｄの縁部よりも外側に配置される最端部である。他の構成は前記各実施形態と同様に構成され、同様の効果を得ることが出来る。
【実施例１０】
【０１５５】
次に図21を用いて本発明に係る現像剤収容ユニットの第１０実施形態の構成について説明する。尚、前記各実施形態と同様に構成したものは、同一の符号を付して説明を省略する。
【０１５６】
図21は本実施形態の現像剤収容ユニット25の抜止部518ｅを固定軸部518ａの軸線518ｄと垂直な平面上に投影して見た図である。その際に、係止稜線518ｆの被固定穴516ｄの縁部よりも外側の外端部518ｉと、該被固定穴516ｄの縁部が係止される係止部518ｈとの第一接合部22ａまでの離間距離が等しい。そして、固定軸部518ａの外周面が抜止部518ｅの係止稜線518ｆから被固定穴516ｄが移動する方向となる図21の矢印Ｌ方向の前後（上流側と下流側）に突出した様子を示す説明図である。
【０１５７】
前記第９実施形態では、図19に示して前述したように、抜止部518ｅの係止稜線518ｆの被固定穴516ｄの縁部が係止される一対の係止部518ｈを結んだ直線上に固定軸部518ａの外周面との接点518ｎを有する構成とした。
【０１５８】
本実施形態では、図21に示すように、固定軸部518ａの外周面が一対の係止部518ｈを結んだ直線よりも図21の矢印Ｌ方向の前後（上流側と下流側）に突出する。そして、一対の係止部518ｈを結んだ直線と固定軸部518ａの外周面との交点518ｑを有する構成とした。一対の係止部518ｈは抜止部518ｅの係止稜線518ｆ上で被固定穴516ｄの縁部が係止される部位である。図21の矢印Ｌ方向は開封部材20が回転軸20ｄを中心に回転して封止部材19を介して現像剤袋16が引っ張られることにより被固定穴516ｄが移動する方向である。
【０１５９】
尚、図18及び図20に示して前述した第９実施形態と同様に構成される。即ち、抜止部518ｅの外端部518ｉが、被固定穴516ｄの縁部が係止される係止部518ｈよりも固定軸部518ａの軸線518ｄ方向において被固定穴516ｄ側（図18及び図20の下側）に突出する。外端部518ｉは係止稜線518ｆの被固定穴516ｄの縁部よりも外側に配置される最端部である。他の構成は前記各実施形態と同様に構成され、同様の効果を得ることが出来る。
【実施例１１】
【０１６０】
次に図22を用いて本発明に係る現像剤収容ユニットの第１１実施形態の構成について説明する。尚、前記各実施形態と同様に構成したものは、同一の符号を付して説明を省略する。
【０１６１】
前記各実施形態では、現像剤を収容し、現像剤を排出するための開口部35ａを備えた可撓性容器の一例として現像剤袋16の一例について説明した。本実施形態では、現像剤を収容し、現像剤を排出するための開口部35ａを備えた可撓性容器の一例として現像剤収容部材34を用いたものである。
【０１６２】
図22に示すように、開封部材20を有した現像剤収容容器30は前記各実施形態と同様に現像剤収容部材34と、封止部材19と、開封部材20と、第一枠体17と、第二枠体18等を有して構成される。
【０１６３】
＜現像剤収容部材＞
図22において、現像剤収容部材34は、シート状の材料を真空成形、圧空成形、プレス成形、射出成型等により製造された可撓性を有する可撓性容器である容器本体部34ａを有する。更に、該容器本体部34ａの開口側を覆う可撓性を有するシート部34ｂとを有して構成される。容器本体部34ａとシート部34ｂとの接合は、熱溶着、レーザー溶着の他に接着剤や接着テープ等を用いて接合される。
【０１６４】
容器本体部34ａの材料としては、アクリロニトリル・ブタジエン・スチレン共重合体（ＡＢＳ；Acrylonitrile Butadiene Styrene copolymer）が適用出来る。更に、ポリメタクリル酸メチル（ＰＭＭＡ；Polymethylmethacrylate）が適用出来る。
【０１６５】
更に、ポリカーボネート（ＰＣ；Polycarbonate）、ポリプロピレン（ＰＰ；Polypropylene）、ポリエチレン（Polyethylene；ＰＥ）が適用出来る。更に、耐衝撃性ポリスチレン（ＨＩＰＳ；High Impact Polystyrene）、ポリエチレンテレフタレート（ＰＥＴ；Polyethylene terephthalate）が適用出来る。更に、ポリ塩化ビニル（ＰＶＣ；Polyvinyl chloride）等が適用出来る。或いは、これらの複合多層材料が適用出来る。
【０１６６】
尚、耐衝撃性ポリスチレン（ＨＩＰＳ）は、ポリスチレン（ＰＳ；Polystyrene）にゴム状重合体或いはゴム状共重合体を添加したものである。ゴム状共重合体としては、ポリブタジエン、スチレン−ブタジエン共重合体、ポリイソプレン、ブタジエン−イソプレン共重合体、天然ゴム及びエチレン−プロピレン共重合体からなるグループから選択される重合体である。
【０１６７】
容器本体部34ａの厚みは、成形前のシート状の厚みで０．１ｍｍ〜１ｍｍ程度のものが可撓性に優れて好ましい。容器本体部34ａの材料や厚みは、コストや製品仕様、製造条件等により適宜設定することが出来る。
【０１６８】
尚、前記各実施形態で使用した現像剤袋16の代わりに、本実施形態の現像剤収容部材34を用いても前述したと同様の効果が得られる。他の構成は前記各実施形態と同様に構成され、同様の効果を得ることが出来る。
【符号の説明】
【０１６９】
16    …現像剤袋(可撓性容器)
16ｄ  …被固定穴
18ａ  …固定軸部
18ｂ  …後端部
18ｄ  …軸線
18ｅ  …抜止部
18ｆ  …係止稜線
18ｈ  …係止部
18ｉ  …外端部
19    …封止部材
19ａ  …封止部
【図１】
2014052570.tif 000003
【図２】
2014052570.tif 000004
【図３】
2014052570.tif 000005
【図４】
2014052570.tif 000006
【図５】
2014052570.tif 000007
【図６】
2014052570.tif 000008
【図７】
2014052570.tif 000009
【図８】
2014052570.tif 000010
【図９】
2014052570.tif 000011
【図１０】
2014052570.tif 000012
【図１１】
2014052570.tif 000013
【図１２】
2014052570.tif 000014
【図１３】
2014052570.tif 000015
【図１４】
2014052570.tif 000016
【図１５】
2014052570.tif 000017
【図１６】
2014052570.tif 000018
【図１７】
2014052570.tif 000019
【図１８】
2014052570.tif 000020
【図１９】
2014052570.tif 000021
【図２０】
2014052570.tif 000022
【図２１】
2014052570.tif 000023
【図２２】
2014052570.tif 000024
【図２３】
2014052570.tif 000025
【図２４】
2014052570.tif 000026
【図２５】
2014052570.tif 000027
【図２６】
2014052570.tif 000028